(57)【要約】【課題】天井吊り下げ物を天井パネルの開口部に対して簡単に位置合わせできるようにして作業効率の改善を図る。【解決手段】天井吊り下げ物支持装置１は、天井吊り下げ物を支持する支持ボルト１０と、略水平な状態に配置される平板部２１の所定位置に支持ボルト１０の直径よりも大きい装着孔２５を設けた支持体２０と、装着孔２５の上側に配置され、外形サイズが装着孔２５よりも大きく、且つ、中心に支持ボルト１０を挿通可能な第１の孔３１を有する第１プレート部材３０と、装着孔２５の下側に配置され、外形サイズが装着孔２５よりも大きく、且つ、中心に支持ボルト１０を挿通可能な第２の孔４１を有する第２プレート部材４０と、第１の孔３１から上方に突出する支持ボルト１０に装着される第１ナット５１と、第２の孔４１から下方に突出する支持ボルト１０に装着される第２ナット５２と、を備える。【選択図】図１
2017218835.tif 000002
【特許請求の範囲】
【請求項１】
天井スラブから垂下する吊りボルトに取り付けられ、天井吊り下げ物を支持する天井吊り下げ物支持装置であって、
前記天井吊り下げ物を支持する支持ボルトと、
略水平な状態に配置される平板部を有し、前記平板部における所定位置に前記吊りボルトを取り付ける取付部を設け、前記平板部における前記取付部とは異なる位置に前記支持ボルトの直径よりも大きい装着孔を設けた支持体と、
前記装着孔の上側に配置され、外形サイズが前記装着孔よりも大きく、且つ、中心に前記支持ボルトを挿通可能な第１の孔を設けた第１プレート部材と、
前記装着孔の下側に配置され、外形サイズが前記装着孔よりも大きく、且つ、中心に前記支持ボルトを挿通可能な第２の孔を設けた第２プレート部材と、
前記支持ボルトが前記第２の孔、前記装着孔及び前記第１の孔に挿通された状態において前記第１の孔から上方に突出する前記支持ボルトに装着される第１ナットと、
前記支持ボルトが前記第２の孔、前記装着孔及び前記第１の孔に挿通された状態において前記第２の孔から下方に突出する前記支持ボルトに装着される第２ナットと、
を備え、
前記第２ナットを緩めることにより、前記支持ボルトが前記装着孔の内側において水平方向に移動可能となり、前記第２ナットを締め付けることにより、前記支持ボルトが移動不可能な状態となって前記支持体に固定されることを特徴とする天井吊り下げ物支持装置。
【請求項２】
前記平板部は、複数の位置に前記装着孔を有し、
前記支持ボルトは、前記平板部に設けられる複数の前記装着孔のそれぞれに対し、前記第１プレート部材、前記第１ナット、前記第２プレート部材及び前記第２ナットによって取り付けられ、
前記複数の装着孔のそれぞれに取り付けられた前記複数の支持ボルトの下端が、前記天井吊り下げ物の複数箇所を支持することを特徴とする請求項１に記載の天井吊り下げ物支持装置。
【請求項３】
一対の前記支持体を有し、
前記一対の支持体を水平面内において所定間隔で保持する横棒部材を更に備えており、
前記支持ボルトは、前記一対の支持体のそれぞれに設けられる前記装着孔に対し、前記第１プレート部材、前記第１ナット、前記第２プレート部材及び前記第２ナットによって取り付けられることを特徴とする請求項１又は２に記載の天井吊り下げ物支持装置。
【請求項４】
請求項１乃至３のいずれかに記載の天井吊り下げ物支持装置を用いて天井吊り下げ物を設置する施工方法であって、
天井スラブから垂下する吊りボルトを前記支持体に設けられた前記取付部に取り付けることにより、前記天井吊り下げ物支持装置が前記吊りボルトによって吊り下げられた状態とする工程と、
前記支持体の前記装着孔に取り付けられた前記支持ボルトの下部に、前記天井吊り下げ物を取り付ける工程と、
前記天井吊り下げ物支持装置が前記吊りボルトによって吊り下げられ、且つ、前記天井吊り下げ物を支持した状態において、水平面内における前記天井吊り下げ物の位置を調整しながら前記吊りボルトにブレースを取り付ける工程と、
前記吊りボルトに前記ブレースが取り付けられた後、前記第２ナットを緩めた状態で前記天井吊り下げ物を水平方向に移動させることにより、前記天井吊り下げ物の位置を微調整する工程と、
前記天井吊り下げ物の位置を微調整した後、前記第２ナットを締め付けることにより、前記天井吊り下げ物の位置を固定する工程と、
を有することを特徴とする施工方法。
【発明の詳細な説明】
【技術分野】
【０００１】
本発明は、天井吊り下げ物支持装置及びそれを用いた施工方法に関する。
【背景技術】
【０００２】
従来、天井スラブから垂下する吊りボルトに空気調和機などの天井吊り下げ物が取り付けられる。そして吊りボルトには、地震発生時の振動を抑制するため、斜め補強材となるブレースが取り付けられる（例えば特許文献１）。ブレースの取り付け作業は、天井スラブの下方の所定高さ位置に天井パネルが設置される前に行われるのが一般的である。
【０００３】
ところで、オープン型の空気調和機を吊りボルトによって吊り下げた状態に取り付ける場合、水平面内における空気調和機の位置を天井パネルに設けられる開口部の位置に予め適合させた状態で取り付けておかなければならない。しかし、天井スラブに対して吊りボルトが設置される位置は、必ずしも天井パネルに設けられる開口部の位置に合致したものとはなっていないことが多い。なぜなら、天井スラブが打設されるデッキプレートは一般に波形タイプが多く、吊りボルトを取り付けるためのアンカーを天井パネルに設けられる開口部の位置に合わせて設置することができないからである。
【０００４】
そのため、従来は、複数の吊りボルトに空気調和機を設置した後、複数の吊りボルト間をブレースで連結するときに、ブレースによる引っ張り強度を強めたり、或いは弱めたりすることにより、水平面内における空気調和機の微妙な位置調整を行っている。
【先行技術文献】
【特許文献】
【０００５】
【特許文献１】特開２０１４−１２５８１２号公報
【発明の概要】
【発明が解決しようとする課題】
【０００６】
しかしながら、ブレースによる引っ張り強度を強めたり、弱めたりすることによる位置調整は、非常に困難な作業であり、また時間のかかる作業である。そのため、従来の施工方法では、効率良く空気調和機を設置することができないという問題があった。また空気調和機に限られず、照明器具などのように天井パネルの開口部の位置に合わせて取り付けることが求められる他の天井吊り下げ物についても同様の問題がある。
【０００７】
そこで本発明は、上記従来の問題点を解決するためになされたものであり、天井パネルの開口部の位置に簡単に適合させることができ、作業効率を著しく改善できるようにした天井吊り下げ物支持装置及びそれを用いた施工方法を提供することを目的とする。
【課題を解決するための手段】
【０００８】
上記目的を達成するため、第１に、本発明は、天井スラブから垂下する吊りボルトに取り付けられ、天井吊り下げ物を支持する天井吊り下げ物支持装置(1)であって、前記天井吊り下げ物(9)を支持する支持ボルト(10)と、略水平な状態に配置される平板部(21)を有し、前記平板部(21)における所定位置に前記吊りボルト(8)を取り付ける取付部(24)を設け、前記平板部(21)における前記取付部(24)とは異なる位置に前記支持ボルト(10)の直径よりも大きい装着孔(25)を設けた支持体(20)と、前記装着孔(25)の上側に配置され、外形サイズが前記装着孔(25)よりも大きく、且つ、中心に前記支持ボルト(10)を挿通可能な第１の孔(31)を設けた第１プレート部材(30)と、前記装着孔(25)の下側に配置され、外形サイズが前記装着孔(25)よりも大きく、且つ、中心に前記支持ボルト(10)を挿通可能な第２の孔(41)を設けた第２プレート部材(40)と、前記支持ボルト(10)が前記第２の孔(41)、前記装着孔(25)及び前記第１の孔(31)に挿通された状態において前記第１の孔(31)から上方に突出する前記支持ボルト(10)に装着される第１ナット(51)と、前記支持ボルト(10)が前記第２の孔(41)、前記装着孔(25)及び前記第１の孔(31)に挿通された状態において前記第２の孔(41)から下方に突出する前記支持ボルト(10)に装着される第２ナット(52)と、を備え、前記第２ナット(52)を緩めることにより、前記支持ボルト(10)が前記装着孔(25)の内側において水平方向に移動可能となり、前記第２ナット(52)を締め付けることにより、前記支持ボルト(10)が移動不可能な状態となって前記支持体(20)に固定されることを特徴とする構成である。
【０００９】
この第１の構成によれば、第２ナットを緩めることにより、天井吊り下げ物を水平方向に移動させて位置調整を行うことが可能であり、天井吊り下げ物の位置合わせを簡単に行うことができる。
【００１０】
第２に、本発明は、上記第１の構成を有する天井吊り下げ物支持装置(1)において、前記平板部(21)は、複数の位置に前記装着孔(25)を有し、前記支持ボルト(10)は、前記平板部(21)に設けられる複数の前記装着孔(25)のそれぞれに対し、前記第１プレート部材(30)、前記第１ナット(51)、前記第２プレート部材(40)及び前記第２ナット(52)によって取り付けられ、前記複数の装着孔(25)のそれぞれに取り付けられた前記複数の支持ボルト(10)の下端が、前記天井吊り下げ物(9)の複数箇所を支持することを特徴とする構成である。
【００１１】
第３に、本発明は、上記第１又は第２の構成を有する天井吊り下げ物支持装置(1)において、一対の前記支持体(20)を有し、前記一対の支持体(20)を水平面内において所定間隔で保持する横棒部材(60)を更に備えており、前記支持ボルト(10)は、前記一対の支持体(20)のそれぞれに設けられる前記装着孔(25)に対し、前記第１プレート部材(30)、前記第１ナット(51)、前記第２プレート部材(40)及び前記第２ナット(52)によって取り付けられることを特徴とする構成である。
【００１２】
第４に、本発明は、上記第１乃至第３のいずれかに記載の天井吊り下げ物支持装置(1)を用いて天井吊り下げ物(9)を設置する施工方法であって、天井スラブから垂下する吊りボルト(8)を前記支持体(20)に設けられた前記取付部(24)に取り付けることにより、前記天井吊り下げ物支持装置(1)が前記吊りボルト(8)によって吊り下げられた状態とする工程と、前記支持体(20)の前記装着孔(25)に取り付けられた前記支持ボルト(10)の下部に、前記天井吊り下げ物(9)を取り付ける工程と、前記天井吊り下げ物支持装置(1)が前記吊りボルト(8)によって吊り下げられ、且つ、前記天井吊り下げ物(9)を支持した状態において、水平面内における前記天井吊り下げ物(9)の位置を調整しながら前記吊りボルト(8)にブレース(6)を取り付ける工程と、前記吊りボルト(8)に前記ブレース(6)が取り付けられた後、前記第２ナット(52)を緩めた状態で前記天井吊り下げ物(9)を水平方向に移動させることにより、前記天井吊り下げ物(9)の位置を微調整する工程と、前記天井吊り下げ物(9)の位置を微調整した後、前記第２ナット(52)を締め付けることにより、前記天井吊り下げ物(9)の位置を固定する工程と、を有することを特徴とする構成である。
【発明の効果】
【００１３】
本発明によれば、天井吊り下げ物の位置を天井パネルの開口部の位置に対して簡単に位置合わせすることが可能であり、従来よりも作業効率を著しく改善することができる。
【図面の簡単な説明】
【００１４】
【図１】天井吊り下げ物支持装置を示す斜視図である。
【図２】天井吊り下げ物支持装置の一部を分解して示す斜視図である。
【図３】天井吊り下げ物支持装置の施工方法を示す斜視図である。
【図４】天井吊り下げ物支持装置が取り付けられた状態を示す斜視図である。
【図５】吊りボルトにブレースが取り付けられる工程を示す図である。
【図６】天井パネルが設置された状態における天井吊り下げ物支持装置の一部切欠断面図である。
【図７】天井吊り下げ物の位置を微調整する工程を示す図である。
【図８】天井吊り下げ物の位置を微調整した後の状態を示す図である。
【図９】天井吊り下げ物支持装置を用いた施工が完了した状態を示す図である。
【発明を実施するための形態】
【００１５】
以下、本発明の好ましい実施形態について図面を参照しつつ詳細に説明する。尚、以下において参照する各図面では互いに共通する部材に同一符号を付しており、それらについての重複する説明は省略する。
【００１６】
図１は、本発明の一実施形態である天井吊り下げ物支持装置１を示す斜視図である。また図２は、天井吊り下げ物支持装置１の一部を分解して示す斜視図である。この天井吊り下げ物支持装置１は、天井スラブから垂下する吊りボルトの下端近傍位置に取り付けられ、空気調和機などの天井吊り下げ物の周囲複数箇所を支持する装置である。本実施形態における天井吊り下げ物支持装置１は、４本の吊りボルトの下端近傍位置に取り付けられ、天井吊り下げ物の周囲４箇所を支持するように構成された装置を例に挙げて説明する。
【００１７】
天井吊り下げ物支持装置１は、４本の支持ボルト１０と、２つの支持体２０ａ，２０ｂと、４つの第１プレート部材３０と、４つの第２プレート部材４０と、４つの第１ナット５１と、４つの第２ナット５２と、２本の横棒部材６０とを備える構成である。尚、以下においては、２つの支持体２０ａ，２０ｂのそれぞれを区別する必要がないときには、それらを総称して支持体２０と呼ぶ。
【００１８】
４本の支持ボルト１０は、天井吊り下げ物の周囲４箇所を支持するためのものである。各支持ボルト１０は、所定長さを有し、外周面に雄螺子が形成されたボルトによって構成される。また各支持ボルト１０は、その上部が支持体２０に設けられる装着孔２５に対して挿入された状態で取り付けられる。すなわち、各支持ボルト１０は、支持体２０の装着孔２５から上側に突出する部分に対して第１プレート部材３０及び第１ナット５１が装着され、支持体２０の装着孔２５から下側に突出する部分に対して第２プレート部材４０及び第２ナット５２が装着された状態で支持体２０の装着孔２５に取り付けられる。
【００１９】
２つの支持体２０のそれぞれは、例えば所定長さを有するＣ型鋼（溝形鋼）によって構成され、略水平な状態に配置される平板部２１と、その平板部２１の両端から直角に折れ曲がり、上方に向かって立設する一対のフランジ部２２とを有している。各支持体２０は、例えば天井吊り下げ物の長さと同等若しくはそれ以上の長さである。それら一対の支持体２０は、２本の横棒部材６０により、所定間隔で互いに平行な状態となるように組み付けられる。すなわち、一対の支持体２０のフランジ部２２には、図２に示すように２本の横棒部材６０を挿通可能な横穴２６が設けられており、２本の横棒部材６０の一端がそれらの横穴２６に挿通される。外周面に雄螺子が形成された横棒部材６０には２つのナット６１，６２が装着されており、それら２つのナット６１，６２が支持体２０を挟み込むようにしてフランジ部２２に対して締着されることにより、横棒部材６０が支持体２０に固定される。２つの横棒部材６０によって組み付けられる一対の支持体２０の間隔は、横棒部材６０における２つのナット６１，６２の締着位置を変えることにより調整することが可能であり、例えば天井吊り下げ物のサイズに応じて適宜調整することができる。尚、図２では一対の支持体２０ａ，２０ｂのうちの一方の支持体２０ａのみを示しているが、他方の支持体２０ｂについても同様である。
【００２０】
また支持体２０の平板部２１には、吊りボルトを取り付ける取付部２４が設けられる。取付部２４は、平板部２１の長手方向両端近傍位置に設けられる。各取付部２４は、所定間隔で配置される複数の取付孔２３を有しており、それら複数の取付孔２３のいずれか一つの取付孔２３に対して吊りボルトが取り付けられる。
【００２１】
さらに支持体２０の平板部２１には、図２に示すように、取付部２４の内側の位置に支持ボルト１０を挿通可能な装着孔２５が設けられる。本実施形態では１つの支持体２０に２つの装着孔２５が設けられる。これら２つの装着孔２５は、いずれも挿通される支持ボルト１０よりも大径であり、例えば支持ボルト１０の直径よりも２〜４倍程度大きな直径の孔として形成される。
【００２２】
第１プレート部材３０は、支持体２０の一対のフランジ部２２の間に設置可能なように矩形状の形態を有し、その中央に支持ボルト１０を挿通可能な第１の孔３１が設けられている。この第１の孔３１の直径は、支持ボルト１０の直径よりも若干大きい程度であり、支持体２０の平板部２１に設けられた装着孔２５の直径と比較すると１／４〜１／２程度の小さな直径である。また第１プレート部材３０の長手方向の長さは、装着孔２５の直径の２倍以上の長さであることが好ましい。これにより、仮に支持ボルト１０が装着孔２５の縁部と接触する位置まで移動したとしても、第１プレート部材３０の端部が装着孔２５の内側まで移動してしまうことを防止することが可能であり、第１プレート部材３０の両端部を常に平板部２１の上面に係合させておくことができる。また第１プレート部材３０の短手方向の幅は、平板部２１の幅の１／２程度であることが好ましい。
【００２３】
第１ナット５１は、第１プレート部材３０に設けられる第１の孔３１から上方に突出する支持ボルト１０に対して装着される。すなわち、第１ナット５１は、平板部２１との間に第１プレート部材３０を挟み込んだ状態で支持ボルト１０の上部に締着されることにより、支持ボルト１０が装着孔２５から抜け落ちることを防止する。
【００２４】
第２プレート部材４０は、例えば支持体２０の幅よりも大きい直径を有する円盤状のプレートであり、その中央に支持ボルト１０を挿通可能な第２の孔４１が設けられる。第２の孔４１の直径は、第１プレート部材３０に設けられる第１の孔３１と同様に、支持ボルト１０の直径よりも若干大きい程度である。この第２プレート部材４０は、支持体２０の下面側に配置され、支持ボルト１０が第２の孔４１に挿通される。そして第２プレート部材４０は、その下面が支持ボルト１０に装着される第２ナット５２によって支持される。すなわち、第２ナット５２は、第２プレート部材４０に設けられる第２の孔４１から下方に突出する支持ボルト１０に対して装着され、平板部２１との間に第２プレート部材３０を挟み込んだ状態で支持ボルト１０に締着される。
【００２５】
そして第１ナット５１及び第２ナット５２が、その間に、第１プレート部材３０、平板部２１及び第２プレート部材４０を挟み込んだ状態できつく締着されることにより、支持ボルト１０は、大径の装着孔２５の内側を自由に移動できない状態となって支持体２０に固定される。これに対し、第１ナット５１及び第２ナット５２の少なくとも一方が緩められると、支持ボルト１０は、大径の装着孔２５の内側を自由に移動できる状態となる。このような天井吊り下げ物支持装置１は、吊りボルトに取り付けられる施工前において、４本の支持ボルト１０のそれぞれが装着孔２５のほぼ中心に位置する状態で支持体２０に固定される。
【００２６】
次に天井吊り下げ物支持装置１を用いて天井吊り下げ物を吊り下げた状態に設置する施工方法について説明する。尚、以下においては、一例として、天井吊り下げ物が空気調和機９である場合について説明する。
【００２７】
まず図３に示すように、作業者は、天井吊り下げ物支持装置１を４本の吊りボルト８の下端に取り付けると共に、４本の支持ボルト１０の下端に空気調和機９を取り付ける。このとき、上述したように４本の支持ボルト１０は、支持体２０に設けられた装着孔２５のほぼ中心位置で固定されている。
【００２８】
吊りボルト８の下部所定位置には、予めナット５４が装着されている。そのため、作業者は、ナット５４から下方に突出している吊りボルト８の下端部を支持体２０に設けられた取付部２４の取付孔２３に挿入し、取付孔２３から下方に突出する吊りボルト８の先端に対して別のナット５５を装着する。このとき、作業者は、取付部２４に設けられている複数の取付孔２３のうちから一の取付孔２３に対して吊りボルト８の下端部を挿入する。すなわち、天井吊り下げ物支持装置１の４箇所に設けられている取付部２４の位置に吊りボルト８が垂下していないことがあるため、作業者は吊りボルト８を斜め方向に歪めて取付部２４に取り付けなければならないことがある。このとき、作業者は、取付部２４に設けた複数の取付孔２３のうちから最も吊りボルト８の歪みを小さくできる一の取付孔２３を選択して吊りボルト８を取り付けることができるため、吊りボルト８の取り付け作業を比較的簡単に行うことができるようになる。そして作業者は、支持体２０の平板部２１を挟み込むように２つのナット５４，５５を締め付ける作業を４箇所の取付部２４のそれぞれに対して行うことにより、天井吊り下げ物支持装置１を吊りボルト８によって吊り下げられた状態に設置することができる。
【００２９】
また支持ボルト１０の下部所定位置には、予めナット１１が装着されている。一方、空気調和機９の四隅には、吊り下げ用のフランジ部９ａが設けられている。そのため、作業者は、ナット１１から下方に突出している支持ボルト１０の下端部を空気調和機９のフランジ部９ａに設けられた孔に挿入し、その孔から下方に突出する支持ボルト１０の先端に対して別のナット１２を装着する。そして作業者は、空気調和機９のフランジ部９ａを挟み込むように２つのナット１１，１２を締め付ける作業を４箇所のフランジ部９ａのそれぞれに対して行うことにより、空気調和機９を天井吊り下げ物支持装置１に対して取り付けることができる。このとき、支持ボルト１０に対する空気調和機９の設置位置は、最終的な設置位置よりも５ｃｍ程度の所定高さ分だけ高い位置となるように取り付けられる。
【００３０】
尚、天井スラブから垂下する吊りボルト８によって天井吊り下げ物支持装置１が吊り下げられた状態に取り付ける工程と、天井吊り下げ物支持装置１の４本の支持ボルト１０に対して空気調和機９を取り付ける工程とは、いずれを先に行っても良い。
【００３１】
図４は、空気調和機９を支持した天井吊り下げ物支持装置１が吊りボルト８に取り付けられた状態を示す図である。図４に示す状態に施工されると、次に吊りボルト８に対して斜め補強材となるブレース６が取り付けられる。図５は、吊りボルト８に対してブレース６が取り付けられた状態を示す図である。図５に示すように各吊りボルト８には、上部と下部の２箇所ずつにブレース連結金具５が取り付けられる。ブレース連結金具５は、互いに直角を成す一対のアームを有しており、それら一対のアームが異なる方向に配設されたブレース６の端部を保持する。具体的に説明すると、ブレース連結金具５は、各アームの先端がブレース６の外周面を抱き込むようにしてブレース６の端部を保持するように構成され、ボルト５ａがきつく締着されることにより吊りボルト８に対してブレース６を固定することができる。
【００３２】
４本の吊りボルト８に対して合計８本のブレース６が取り付けるとき、例えば作業者は、最初に４本の吊りボルト８の上部に設けたブレース連結金具５のボルト５ａをきつく締め付けることにより、ブレース６の上部を吊りボルト８の上部に設けたブレース連結金具５に固定する。その後、作業者は、４本の吊りボルト８の下部に設けたブレース連結金具５のボルト５ａを順に締め付けていくことにより、ブレース６の下部を吊りボルト８の下部に設けたブレース連結金具５に対して順に固定していく。このとき、作業者は、空気調和機９を押したり、又は引っ張ったりして空気調和機９の位置をＸ方向又はＹ方向の水平方向に変位させることにより、空気調和機９の位置が、その後に取り付けられる天井パネルの開口部の位置にほぼ合致するように位置調整を行いながら、ブレース６の下部を吊りボルト８の下部に設けたブレース連結金具５に対して順に固定していく。ただし、このときの位置調整は、ミリ単位まで合致させる必要はなく、空気調和機９の位置が天井パネルの開口部の位置に対して２〜３ｃｍ程度のずれが生じても構わない。つまり、ブレース６を吊りボルト８に取り付けるときに行われる空気調和機９の位置調整は、一次的に行われる大まかな位置調整である。そして天井吊り下げ物支持装置１は、空気調和機９の位置がＸ方向又はＹ方向に変位すると、それに連動させて４本の吊りボルト８の姿勢を同時に変化させることができる。そのため、作業者にとっては、４本の吊りボルト８の姿勢や歪みを１本ずつ調整していく必要がない。そのため、このときの位置調整作業は、比較的簡単に行うことが可能であり、しかも短時間で作業を終えることが可能である。そして４本の吊りボルト８に対して合計８本のブレース６が固定されると、吊りボルト８がブレース６によって補強されるため、地震発生時の振動を抑制することができるようになる。
【００３３】
上記のように吊りボルト８に対するブレース６の施工が終了すると、次に天井パネルが設置される。図６は、天井パネル７が設置された状態を示す天井吊り下げ物支持装置１の一部切欠断面図である。この天井パネル７には、設計図などにおいて予め指定された位置に、空気調和機９を天井パネル７の下方空間に露出させるための開口部７ａが形成されている。図６に示す例では、空気調和機９の位置と、天井パネル７に設けられる開口部７ａの位置とが合致していない。すなわち、図６では、空気調和機９における第１の縁部Ｐ１が開口部７ａの内側に位置しているのに対し、第２の縁部Ｐ２が開口部７ａの外側に位置している。このように空気調和機９の位置と開口部７ａの位置とがずれているときには、空気調和機９を最終的な設置高さ位置まで下げることができないため、空気調和機９に対する再度の位置調整が必要となる。
【００３４】
そこで作業者は、天井パネル７の開口部７ａから手を差し入れて空気調和機９の位置を微調整する作業を行う。すなわち、作業者は、まず図７に示すように、天井吊り下げ物支持装置１における一対の支持体２０の下面側４箇所に取り付けられた第２ナット５２を緩め、４本の支持ボルト１０のそれぞれが装着孔２５の内側でＸ方向又はＹ方向の水平方向に移動可能な状態とする。そして作業者は、水平方向（横方向）に空気調和機９を押したり、又は引っ張ったりすることにより、空気調和機９の位置をＸ方向又はＹ方向に変位させる。このとき、天井吊り下げ物支持装置１における一対の支持体２０は、ブレース６が取り付けられた吊りボルト８により、その位置が移動しないように固定されている。そのため、作業者が空気調和機９をＸ方向又はＹ方向に変位させると、４本の支持ボルト１０が装着孔２５の内側でＸ方向又はＹ方向に移動し、一対の支持体２０に対して相対的に変位する。つまり、空気調和機９を支持した状態の４本の支持ボルト１０を装着孔２５の内側の任意の位置に簡単に移動させることができるのである。したがって、空気調和機９の位置が天井パネル７の開口部７ａの位置に対して２〜３ｃｍ程度のずれがある場合であっても、作業者は、簡単に位置調整を行うことができ、空気調和機９の位置を天井パネル７の開口部７ａの位置に合致させることができる。
【００３５】
図８は、上記のような微調整により、空気調和機９の位置を天井パネル７の開口部７ａの位置に合致させた状態を示している。天井パネル７に形成される開口部７ａは、空気調和機９の平面サイズよりも２〜３ｃｍ程度大きく形成される。そのため、上述した空気調和機９の位置を微調整する作業を行うときには、図８に示すように、空気調和機９における第１及び第２の縁部Ｐ１，Ｐ２が開口部７ａの内側に位置するように調整すれば良い。これにより、空気調和機９の高さ位置を最終的な設置高さ位置まで下げることができるようになる。
【００３６】
図８に示すように空気調和機９の位置を天井パネル７の開口部７ａの位置に合致させることができると、作業者は、天井吊り下げ物支持装置１における一対の支持体２０の下面側４箇所に取り付けられた第２ナット５２を再び締め付ける。これにより、空気調和機９を支持している４本の支持ボルト１０はそれぞれ一対の支持体２０に固定される。その後、作業者は、空気調和機９のフランジ部９ａの下面に装着しているナット１２を緩めながら、空気調和機９を徐々に降下させていくことにより、空気調和機９の高さ位置を最終的な設置高さ位置、すなわち空気調和機９の下面が天井パネル７とほぼ同一の高さとなる位置に設置する。そして作業者は、空気調和機９のフランジ部９ａの上面に装着しているナット１１をフランジ部９ａに対して締め付けることにより、空気調和機９の位置調整が完了する。図９は、空気調和機９の位置調整が完了した状態を示している。図９に示すように空気調和機９が設置されると、作業者は、最後に、空気調和機９と天井パネル７との隙間を隠蔽するように空気調和機９の下面側に化粧パネルを設置して施工を完了する。
【００３７】
以上のように本実施形態の天井吊り下げ物支持装置１を用いれば、空気調和機９を天井パネル７の開口部７ａに合わせて設置する際の作業効率が向上する。すなわち、上述した天井吊り下げ物支持装置１を用いれば、吊りボルト８に対してブレース６を取り付けるときには、空気調和機９の高精度な位置合わせは必要ではなく、大まかな位置合わせだけを行っておけば良いため、ブレース６の取り付け作業を効率的に行うことができる。そして空気調和機９の下方に天井パネル７が設置されたときには、一対の支持体２０の下面側の第２ナット５２を緩めることによって空気調和機９の位置を微調整することが可能であり、空気調和機９の水平面内における位置を簡単に天井パネル７の開口部７ａの位置に適合させることができる。したがって、上述した天井吊り下げ物支持装置１は、従来よりも作業効率を著しく改善することが可能である。
【００３８】
以上、本発明に関する一実施形態について説明したが、本発明は上記実施形態において説明したものに限定されるものではなく、種々の変形例が適用可能である。
【００３９】
例えば上記実施形態では、主として天井吊り下げ物が空気調和機９である場合を例示した。しかし、天井吊り下げ物支持装置１によって支持される天井吊り下げ物は、空気調和機９に限られるものではない。すなわち、上述した天井吊り下げ物支持装置１は、天井パネル７の開口部７ａの位置に合わせて取り付けることが求められる天井吊り下げ物に対して広く利用することが可能であり、照明器具などのように、空気調和機９以外の天井吊り下げ物にも利用可能である。
【符号の説明】
【００４０】
１  天井吊り下げ物支持装置
６  ブレース
７  天井パネル
７ａ  開口部
８  吊りボルト
９  空気調和機（天井吊り下げ物）
１０  支持ボルト
２０  支持体
２１  平板部
２４  取付部
２５  装着孔
３０  第１プレート部材
４０  第２プレート部材
５１  第１ナット
５２  第２ナット
【図１】
2017218835.tif 000003
【図２】
2017218835.tif 000004
【図３】
2017218835.tif 000005
【図４】
2017218835.tif 000006
【図５】
2017218835.tif 000007
【図６】
2017218835.tif 000008
【図７】
2017218835.tif 000009
【図８】
2017218835.tif 000010
【図９】
2017218835.tif 000011